(57)【要約】【課題】より簡単な構成で施錠対象装置の開錠を行う施錠対象装置開錠システムを提供することである。【解決手段】施錠対象装置開錠システム１０は、発信している携帯電話２あるいは一般電話３と通話を確立することのないままの状態で、携帯電話２あるいは一般電話３の電話番号である発信元番号を取得するターミナルアダプタ２０と、ターミナルアダプタ２０から送信された発信元番号を受け取って、当該発信元番号が予め登録された電話番号である場合に、ドア８の電気錠９の開錠制御を行う制御装置４０と、を備える。【選択図】図１
2011220070.tif 000002
【特許請求の範囲】
【請求項１】
発信している電話機と通話を確立することのないままの状態で、当該電話機の電話番号である発信元番号を取得する通信インターフェース変換装置と、
通信インターフェース変換装置から送信された発信元番号を受け取って、当該発信元番号が予め登録された電話番号である場合に、施錠対象装置の開錠制御を行う制御装置と、
を備えることを特徴とする施錠対象装置開錠システム。
【請求項２】
請求項１に記載の施錠対象装置開錠システムにおいて、
通信インターフェース変換装置は、ターミナルアダプタであることを特徴とする施錠対象装置開錠システム。
【請求項３】
請求項１または請求項２に記載の施錠対象装置開錠システムにおいて、
通信インターフェース変換装置と制御装置とは、
不平衡シリアル転送の物理層インターフェース仕様であるＲＳ−２３２Ｃ（Ｒｅｃｏｍｍｅｎｄｅｄ  Ｓｔａｎｄａｒｄ  ２３２Ｃ）を用いて通信を行なっていることを特徴とする施錠対象装置開錠システム。
【請求項４】
請求項１から請求項３のいずれか１に記載の施錠対象装置開錠システムにおいて、
制御装置は、
施錠対象装置の開錠制御が許可された電話番号を予め登録する登録部を有することを特徴とする施錠対象装置開錠システム。
【請求項５】
請求項４に記載の施錠対象装置開錠システムにおいて、
制御装置は、
通信インターフェース変換装置から送信された発信元番号が登録用管理者番号として登録されている番号である場合に、当該登録用管理者番号を受け取った後の所定の期間内に通信インターフェース変換装置から受け取った当該登録用管理者番号とは別の発信元番号を登録部に登録する電話番号登録処理部を有することを特徴とする施錠対象装置開錠システム。
【請求項６】
請求項４に記載の施錠対象装置開錠システムにおいて、
制御装置は、
通信インターフェース変換装置から送信された発信元番号が削除用管理者番号として登録されている番号である場合に、当該削除用管理者番号を受け取った後の所定の期間内に通信インターフェース変換装置から受け取った当該削除用管理者番号とは別の発信元番号を登録部に登録されている電話番号の中から削除する電話番号削除処理部を有することを特徴とする施錠対象装置開錠システム。
【請求項７】
請求項４に記載の施錠対象装置開錠システムにおいて、
制御装置は、
登録部に登録されている電話番号のうち、所定の期間施錠対象装置の開錠制御のために使用されていない電話番号を自動的に削除する自動削除処理部を有することを特徴とする施錠対象装置開錠システム。
【請求項８】
請求項４に記載の施錠対象装置開錠システムにおいて、
登録部は、複数の領域に区画され、各領域にはアドレスが割当てられており、
登録先のアドレスを選択するアドレス選択部と、登録先のアドレスを選択した後に登録を行う電話番号を入力する入力部と、入力部により入力された電話番号を表示する表示部と、表示部により表示された電話番号を登録部に登録する登録操作部と、を含む電話番号登録情報更新部をさらに備えることを特徴とする施錠対象装置開錠システム。
【請求項９】
請求項８に記載の施錠対象装置開錠システムにおいて、
表示部は、選択されたアドレスに既に登録されている電話番号を表示し、
入力部は、表示部に表示された当該電話番号をクリアするクリアボタンを有し、
登録部は、クリアボタンが操作された後に操作された場合に当該電話番号を登録部から削除することを特徴とする施錠対象装置開錠システム。
【請求項１０】
請求項１から請求項９のいずれか１に記載の施錠対象装置開錠システムにおいて、
施錠対象装置は、
制御装置により施錠制御あるいは開錠制御が可能であるロック機構であることを特徴とする施錠対象装置開錠システム。
【請求項１１】
請求項４に記載の施錠対象装置開錠システムにおいて、
登録部は、
施錠対象装置の開錠制御が行われたときの日付、時刻及び当該開錠制御に使用された電話番号を含むログを保存することを特徴とする施錠対象装置開錠システム。
【発明の詳細な説明】
【技術分野】
【０００１】
本発明は、施錠対象装置開錠システムに係り、特に、電話機を用いて開錠を行なう施錠対象装置開錠システムに関する。
【背景技術】
【０００２】
築年数の古いマンション等においては、オートロックのドアが設置されていないことがある。このようなマンション等においても、近年の犯罪発生件数の増加等の影響から、オートロックを備えた自動ドア等への改修工事が増加している。
【０００３】
本発明に関連する技術として、例えば、特許文献１には、マンション等の集合住宅の共用玄関にて特定の者の出入りを許容する集合住宅用セキュリティシステムが開示されている。そして、共用玄関には、通行者が集合住宅の住人であることを認証する居住者認証手段と、該居住者認証手段からの開錠操作によって開錠可能なオートロック機能付きの自動ドアのドア制御手段と、該自動ドアを通り抜ける方向と通り抜けた人数を検知する通行者検知手段と、異常が起きた場合に異常を通知し警報を発生する警報手段とを設ける構成が開示されている。ここで、上記居住者認証手段は居住者からの依頼で居住者であることの認証処理を行い、認証が成功するとドア制御手段にドアの開錠を指示し、該開錠の指示を受けたドア制御手段は自動ドアを開き、通行者検知手段に該自動ドアを通って集合住宅内に立ち入る人の数の検出開始を指示する構成が開示されている。さらに、上記居住者認証手段によるドア制御手段への開錠指示がＮ回であったとき、通行者検知手段がＮ人を超える数の人がドアを通過し集合住宅内へ立ち入ったことを検知した場合に、警報手段が異常発生の警報を発する動作を行う構成が開示されている。
【先行技術文献】
【特許文献】
【０００４】
【特許文献１】特開２００７−１９３４６１号公報
【発明の概要】
【発明が解決しようとする課題】
【０００５】
上記のように、特許文献１の構成を用いることで、マンション等におけるセキュリティを向上することはできるが、自動ドアを通り抜ける方向と通り抜けた人数を検知する通行者検知手段や、通行者検知手段がＮ人を越える数の人がドアを通過し集合住宅内へ立ち入ったことを検知した場合に、警報を発する警報手段を設ける必要があるため、比較的大規模な改修工事が必要となり、費用もかさんでしまうという問題がある。
【０００６】
本発明の目的は、より簡単な構成で施錠対象装置の開錠を行う施錠対象装置開錠システムを提供することである。
【課題を解決するための手段】
【０００７】
本発明に係る施錠対象装置開錠システムは、発信している電話機と通話を確立することのないままの状態で、当該電話機の電話番号である発信元番号を取得する通信インターフェース変換装置と、通信インターフェース変換装置から送信された発信元番号を受け取って、当該発信元番号が予め登録された電話番号である場合に、施錠対象装置の開錠制御を行う制御装置と、を備えることを特徴とする。
【０００８】
また、本発明に係る施錠対象装置開錠システムにおいて、通信インターフェース変換装置は、ターミナルアダプタであることが好ましい。
【０００９】
また、本発明に係る施錠対象装置開錠システムにおいて、通信インターフェース変換装置と制御装置とは、不平衡シリアル転送の物理層インターフェース仕様であるＲＳ−２３２Ｃ（Ｒｅｃｏｍｍｅｎｄｅｄ  Ｓｔａｎｄａｒｄ  ２３２Ｃ）を用いて通信を行なっていることが好ましい。
【００１０】
また、本発明に係る施錠対象装置開錠システムにおいて、制御装置は、施錠対象装置の開錠制御が許可された電話番号を予め登録する登録部を有することが好ましい。
【００１１】
また、本発明に係る施錠対象装置開錠システムにおいて、制御装置は、通信インターフェース変換装置から送信された発信元番号が登録用管理者番号として登録されている番号である場合に、当該登録用管理者番号を受け取った後の所定の期間内に通信インターフェース変換装置から受け取った当該登録用管理者番号とは別の発信元番号を登録部に登録する電話番号登録処理部を有することが好ましい。
【００１２】
また、本発明に係る施錠対象装置開錠システムにおいて、制御装置は、通信インターフェース変換装置から送信された発信元番号が削除用管理者番号として登録されている番号である場合に、当該削除用管理者番号を受け取った後の所定の期間内に通信インターフェース変換装置から受け取った当該削除用管理者番号とは別の発信元番号を登録部に登録されている電話番号の中から削除する電話番号削除処理部を有することが好ましい。
【００１３】
また、本発明に係る施錠対象装置開錠システムにおいて、制御装置は、登録部に登録されている電話番号のうち、所定の期間施錠対象装置の開錠制御のために使用されていない電話番号を自動的に削除する自動削除処理部を有することが好ましい。
【００１４】
また、本発明に係る施錠対象装置開錠システムにおいて、登録部は、複数の領域に区画され、各領域にはアドレスが割当てられており、登録先のアドレスを選択するアドレス選択部と、登録先のアドレスを選択した後に登録を行う電話番号を入力する入力部と、入力部により入力された電話番号を表示する表示部と、表示部により表示された電話番号を登録部に登録する登録操作部と、を含む電話番号登録情報更新部をさらに備えることが好ましい。
【００１５】
また、本発明に係る施錠対象装置開錠システムにおいて、表示部は、選択されたアドレスに既に登録されている電話番号を表示し、入力部は、表示部に表示された当該電話番号をクリアするクリアボタンを有し、登録部は、クリアボタンが操作された後に操作された場合に当該電話番号を登録部から削除することが好ましい。
【００１６】
また、本発明に係る施錠対象装置開錠システムにおいて、施錠対象装置は、制御装置により施錠制御あるいは開錠制御が可能であるロック機構であることが好ましい。
【００１７】
また、本発明に係る施錠対象装置開錠システムにおいて、登録部は、施錠対象装置の開錠制御が行われたときの日付、時刻及び当該開錠制御に使用された電話番号を含むログを保存することが好ましい。
【発明の効果】
【００１８】
上記構成の施錠対象装置開錠システムによれば、通信インターフェース変換装置から発信元番号を受け取って、当該発信元番号が予め登録された電話番号である場合に、施錠対象装置の開錠制御が行われる。これにより、予め登録された電話番号の電話機を有する所有者が、施錠対象装置開錠システムに対して発信操作を行うだけで、施錠対象装置の開錠を行うことができる。したがって、より簡単な構成で施錠対象装置の開錠を行うことができる。
【図面の簡単な説明】
【００１９】
【図１】本発明に係る実施の形態の施錠対象装置開錠システムと、携帯電話と、一般電話と、公衆回線と、ドアとの関係を示す図である。
【図２】本発明に係る実施の形態において、施錠対象装置開錠システムを用い、携帯電話あるいは一般電話によりドアの電気錠の開錠を行う等の手順を示すフローチャートである。
【図３】本発明に係る実施の形態の変形例である施錠対象装置開錠システムと、携帯電話と、一般電話と、公衆回線と、ドアとの関係を示す図である。
【図４】本発明に係る実施の形態の変形例である施錠対象装置開錠システムを用い、携帯電話あるいは一般電話によりドアの電気錠の開錠を行う等の手順を示すフローチャートである。
【発明を実施するための形態】
【００２０】
以下では、全ての図面において同様の要素には同一の符号を付し、重複する説明を省略する。また、本文中の説明においては、必要に応じそれ以前に述べた符号を用いるものとする。また、以下では、電気錠は、マンション等のエントランスや管理人室のドアに設置されるものとして説明するが、その他の装置に設けられてもよく、例えば、駐車場のチェーン張架式自動ゲートに設置されてもよい。また、以下では、通信インターフェース変換装置は、ターミナルアダプタであるとして説明するが、その他の通信インターフェース変換装置、例えば、モデム、携帯電話であってもよい。また、以下では、施錠対象装置は、電気錠であるものとして説明するが、電気錠でなくてもよく、開錠制御により自動ドアが開くように設定してもよい。また、以下では、携帯電話あるいは一般電話を用いて登録部に対して電話番号を登録／削除する機能を備えるためには２回線を使用するものとして説明するが、登録のみの場合は１回線でも実現することができる。
【００２１】
図１は、施錠対象装置開錠システム１０と、携帯電話２と、一般電話３と、公衆回線６と、ドア８との関係を示す図である。ドア８は、マンションのエントランスに設けられ、通常時は、施錠対象装置である電気錠９によって施錠されているドアである。なお、ドア８は、ここではマンションのエントランスに設けられるものとして説明するが、エントランスに限定されずに、その他の場所、例えば、マンションの管理人室に設置されるものであってもよい。
【００２２】
携帯電話２は、ドア８の電気錠９の開錠操作を行う人、例えば、マンションの住人が所有する電話機である。また、一般電話３は、ドア８の電気錠９の開錠操作を行う人、例えば、マンションの住人の室内に固定された固定電話機である。なお、携帯電話２も一般電話３も発信元番号通知設定がなされている。
【００２３】
施錠対象装置開錠システム１０は、携帯電話２あるいは一般電話３からの発信に基づいて、ドア８の電気錠９の開錠を行う機能を有する。施錠対象装置開錠システム１０は、ターミナルアダプタ２０と、制御装置４０とを含んで構成される。施錠対象装置開錠システム１０は、登録部４０２に対して電話番号を登録／削除するための電話番号Ａと、ドア８の電気錠９の開錠を行うための電話番号Ｂの２回線を使用する回線使用契約が行われている。
【００２４】
ターミナルアダプタ２０は、公衆回線６と制御装置４０とを接続するために必要なデータの変換を行う装置である。ここで、一般的には、ターミナルアダプタは通信回線と通信機器を接続する際のインターフェース変換装置であるが、ここでは、当該通信回線に公衆回線６を適用し、当該通信機器に制御装置４０を適用してターミナルアダプタ２０を実現している。ターミナルアダプタ２０は、携帯電話２あるいは一般電話３から発信された発信元番号を受け取って、制御装置４０に対して、受け取った当該発信元番号を送信する機能を有しており、例えば、この機能はターミナルアダプタのデータ通信モードを用いることで実現出来る。ここで、ターミナルアダプタ２０と制御装置４０とは、不平衡シリアル転送の物理層インターフェース仕様であるＲＳ−２３２Ｃ（Ｒｅｃｏｍｍｅｎｄｅｄ  Ｓｔａｎｄａｒｄ  ２３２Ｃ）規格で通信されており、当該通信はＲＳ−２３２Ｃ用の通信ケーブル３０で行われている。そのため、ターミナルアダプタ２０においては、ＲＳ−２３２Ｃ規格で通信を行うために必要な変換が行われている。
【００２５】
制御装置４０は、登録部４０２と、開錠処理部４０４と、電話番号登録処理部４０６と、電話番号削除処理部４０８と、自動削除処理部４１０とを含んで構成される。登録部４０２は、ドア８の電気錠９の開錠を行うことが許可された人が所有している電話番号を登録するためのメモリであり、例えば、何度も書き換えを行うことが可能なフラッシュＲＯＭ、ＤＲＡＭ、ＳＲＡＭ等を用いて構成することができる。また、登録部４０２は、上記のようにドア８の電気錠９の開錠を行うことが許可された人が所有している電話番号を登録あるいは削除を行うための管理者番号が登録されている。具体的には、登録部４０２は、電話番号を登録するための登録用管理者番号として電話番号Ｃが登録されており、電話番号を削除するための削除用管理者番号として電話番号Ｄが登録されている。そして、登録部４０２には、開錠処理部４０４から受け取った情報に基づき、ドア８の電気錠９の開錠制御が行われたときの日付、時刻及び当該開錠制御に使用された電話番号（発信元番号）を含むログ（履歴情報）を保存する。
【００２６】
開錠処理部４０４は、携帯電話２あるいは一般電話３から発信された発信先番号が電話番号Ｂ（ドア８の電気錠９の開錠を行うための電話番号）である場合に、ターミナルアダプタ２０から受け取った発信元番号が登録部４０２に登録された電話番号と一致するか否かを判断する。開錠処理部４０４は、ターミナルアダプタ２０から受け取った発信元番号が登録部４０２に登録された電話番号と一致すると判断すれば、当該一致したと判断したときから所定の期間（例えば、５秒間）ドア８の電気錠９に対して開錠指令を与え、その後は再び施錠指令を与える。また、このとき開錠処理部４０４は、登録部４０２に対して当該電話番号等の情報を送信する機能を有している。ドア８の電気錠９は、上述した開錠処理部４０４の開錠指令を受け取って開錠され、ドア８を開くことが可能となる。なお、開錠処理部４０４は、ターミナルアダプタ２０から携帯電話２あるいは一般電話３から発信された発信先番号と発信元番号を受け取るのみで、当該携帯電話２あるいは一般電話３との通話を行なうことはない。
【００２７】
電話番号登録処理部４０６は、携帯電話２あるいは一般電話３から発信された発信先番号が電話番号Ａ（登録部４０２に対して電話番号を登録／削除するための電話番号）である場合に、ターミナルアダプタ２０から受け取った発信元番号が電話番号Ｃ（電話番号を登録するための登録用管理者番号）であるか否かを判断する機能を有する。電話番号登録処理部４０６は、ターミナルアダプタ２０から受け取った発信元番号が電話番号Ｃであると判断した場合には、その後の所定の期間内（例えば、１０秒間）に、ターミナルアダプタ２０から受け取った、電話番号Ｃとは別の発信元番号（登録用管理者番号である電話番号Ｃの電話機とは異なり、新たに登録部４０２に登録を行いたい人の所有する電話番号）を登録部４０２に登録する機能を有している。なお、電話番号登録処理部４０６は、ターミナルアダプタ２０から携帯電話２あるいは一般電話３から発信された発信先番号と発信元番号を受け取るのみで、当該携帯電話２あるいは一般電話３との通話を行なうことはない。
【００２８】
電話番号削除処理部４０８は、携帯電話２あるいは一般電話３から発信された発信先番号が電話番号Ａ（登録部４０２に対して電話番号を登録／削除するための電話番号）である場合に、ターミナルアダプタ２０から受け取った発信元番号が電話番号Ｄ（電話番号を削除するための削除用管理者番号）であるか否かを判断する機能を有する。電話番号削除処理部４０８は、ターミナルアダプタ２０から受け取った発信元番号が電話番号Ｄであると判断した場合には、その後の所定の期間内（例えば、１０秒間）に、ターミナルアダプタ２０から受け取った、電話番号Ｄとは別の発信元番号（削除用管理者番号である電話番号Ｄの電話機とは異なり、既に登録部４０２に登録されている人の所有する電話番号のうち削除したい電話番号）を登録部４０２から削除する機能を有している。なお、電話番号削除処理部４０８は、ターミナルアダプタ２０から携帯電話２あるいは一般電話３から発信された発信先番号と発信元番号を受け取るのみで、当該携帯電話２あるいは一般電話３との通話を行なうことはない。
【００２９】
自動削除処理部４１０は、登録部４０２に保存された履歴情報に基づいて、登録部４０２に登録された電話番号のうち、所定の期間（例えば、１ヶ月間）ドア８の電気錠９を開錠するために使用されていない電話番号があるか否かを判断する機能を有する。自動削除処理部４１０は、所定の期間使用されていない電話番号があると判断した場合には、登録部４０２から当該電話番号を自動的に削除する機能を有する。
【００３０】
上記構成の施錠対象装置開錠システム１０の動作について図１，２を用いて説明する。図２は、施錠対象装置開錠システム１０を用い、携帯電話２あるいは一般電話３によりドア８の電気錠９の開錠を行う等の手順を示すフローチャートである。まず、制御装置４０は、登録部４０２に登録された電話番号のうち、長期間（例えば、１ヶ月間）使用されていないものがあるか否かを判断する（Ｓ１０）。この工程は、制御装置４０の自動削除処理部４１０の機能によって実行される。Ｓ１０の工程において、長期間使用されていないものがあると判断すれば、当該電話番号を登録部４０２から自動的に削除し（Ｓ１２）、その後Ｓ１４へと進む。この工程は、制御装置４０の自動削除処理部４１０の機能によって実行される。また、Ｓ１０の工程において、長期間使用されていないものがあると判断しなければ、Ｓ１４へと進む。
【００３１】
次に、携帯電話２あるいは一般電話３からの着信（施錠対象装置開錠システム１０への発信）があるか否かを判断する（Ｓ１４）。具体的には、携帯電話２あるいは一般電話３から施錠対象装置開錠システム１０の電話番号Ａあるいは電話番号Ｂに対して発信がなされているか否かを判断する。この工程は、開錠処理部４０４、電話番号登録処理部４０６、電話番号削除処理部４０８のうちの少なくともいずれか１つの機能によって実行される。Ｓ１４の工程において、携帯電話２あるいは一般電話３からの着信がないと判断したときは、再びＳ１０へと戻る。
【００３２】
Ｓ１４の工程において、携帯電話２あるいは一般電話３からの着信があると判断したときは、発信先番号が電話番号Ａ（登録部４０２に対して電話番号を登録／削除するための更新用電話番号）であるか否かを判断する（Ｓ１６）。この工程は、開錠処理部４０４、電話番号登録処理部４０６、電話番号削除処理部４０８によって実行される。Ｓ１６の工程において、発信先番号が電話番号Ａであると判断されれば、Ｓ１８へと進む。Ｓ１６の工程において、発信先番号が電話番号Ｂであると判断されれば、Ｓ４０へと進む。
【００３３】
Ｓ１８の工程において、ターミナルアダプタ２０から受け取った発信元番号が電話番号Ｃ（電話番号を登録するための登録用管理者番号）であるか否かを判断する（Ｓ１８）。この工程は、電話番号登録処理部４０６の機能によって実行される。Ｓ１８の工程において、ターミナルアダプタ２０から受け取った発信元番号が電話番号Ｃであると判断すれば、Ｓ３０へと進む。Ｓ１８の工程において、ターミナルアダプタ２０から受け取った発信元番号が電話番号Ｃでないと判断すれば、Ｓ２０へと進む。
【００３４】
Ｓ３０の工程では、Ｓ１８の工程において、発信元番号が電話番号Ｃであると判断されてから所定の期間（例えば、１０秒間）が経過しているか否かを判断する（Ｓ３０）。この工程は、電話番号登録処理部４０６の機能によって実行される。Ｓ３０の工程において、所定の期間が経過していると判断すれば、リターン処理へと進む。Ｓ３０の工程において、所定の期間が経過していないと判断すれば、Ｓ３２へと進む。
【００３５】
Ｓ３２の工程において、携帯電話２あるいは一般電話３からの着信（施錠対象装置開錠システム１０の電話番号Ａを宛先とする発信）があるか否かを判断する（Ｓ３２）。この工程は、電話番号登録処理部４０６の機能によって実行される。Ｓ３２の工程において、携帯電話２あるいは一般電話３からの着信がないと判断すれば、再びＳ３２へと戻る。Ｓ３２の工程において、携帯電話２あるいは一般電話３からの着信があると判断すれば、Ｓ３４へと進む。
【００３６】
Ｓ３２の工程において、携帯電話２あるいは一般電話３から発信された電話番号を登録部４０２に新たに登録する（Ｓ３４）。なお、このとき既に登録部４０２に登録されている電話番号であれば、重複して登録しないものとしてもよい。この工程は、電話番号登録処理部４０６の機能によって実行される。Ｓ３４の工程の後は、再びＳ３０へと戻る。
【００３７】
Ｓ１８の工程において、ターミナルアダプタ２０から受け取った発信元番号が電話番号Ｃでないと判断すれば、当該発信元番号が電話番号Ｄ（電話番号を削除するための削除用管理者番号）であるか否かを判断する（Ｓ２０）。この工程は、電話番号削除処理部４０８の機能によって実行される。Ｓ２０の工程において、ターミナルアダプタ２０から受け取った発信元番号が電話番号Ｄでないと判断すれば、リターン処理へと進む。また、Ｓ２０の工程において、ターミナルアダプタ２０から受け取った発信元番号が電話番号Ｄであると判断すれば、Ｓ２２へと進む。
【００３８】
Ｓ２２の工程では、Ｓ２０の工程において、発信元番号が電話番号Ｄであると判断してから所定の期間（例えば、１０秒間）が経過しているか否かを判断する（Ｓ２２）。この工程は、電話番号削除処理部４０８の機能によって実行される。Ｓ２２の工程において、所定の期間が経過していると判断すれば、リターン処理へと進む。Ｓ２２の工程において、所定の期間が経過していないと判断すれば、Ｓ２４へと進む。
【００３９】
Ｓ２４の工程において、携帯電話２あるいは一般電話３からの着信（施錠対象装置開錠システム１０の電話番号Ａを宛先とする発信）があるか否かが判断される（Ｓ２４）。この工程は、電話番号削除処理部４０８の機能によって実行される。Ｓ２４の工程において、携帯電話２あるいは一般電話３からの着信がないと判断すれば、再びＳ２４へと戻る。Ｓ２４の工程において、携帯電話２あるいは一般電話３からの着信があると判断すれば、Ｓ２６へと進む。
【００４０】
Ｓ２４の工程において、携帯電話２あるいは一般電話３から発信された電話番号を登録部４０２に登録された電話番号の中から削除する（Ｓ２６）。この工程は、電話番号削除処理部４０８の機能によって実行される。Ｓ２６の工程の後は、再びＳ２２へと戻る。
【００４１】
Ｓ１６の工程において、発信先番号が電話番号Ｂであると判断すれば、ターミナルアダプタ２０から受け取った発信元番号が登録部４０２に登録された電話番号と一致するものがあるか否かを判断する（Ｓ４０）。この工程は、開錠処理部４０４の機能によって実行される。Ｓ４０の工程において、ターミナルアダプタ２０から受け取った発信元番号が登録部４０２に登録された電話番号と一致しないと判断すれば、リターン処理へと進む。
【００４２】
Ｓ４０の工程において、ターミナルアダプタ２０から受け取った発信元番号が登録部４０２に登録された電話番号と一致するものがあると判断されれば、ドア８の電気錠９を所定の期間（例えば、５秒間）開錠するための開錠指令を与え、その後再び施錠指令を与える（Ｓ４２）。この工程は、開錠処理部４０４の機能によって実行される。その後、リターン処理へと進む。
【００４３】
上記のように、施錠対象装置開錠システム１０によれば、登録部４０２に登録された電話番号の携帯電話２あるいは一般電話３の所有者が電話をかけるだけで、ドア８の電気錠９を開錠することができる。また、このとき、施錠対象装置開錠システム１０は、携帯電話２あるいは一般電話３と通話を確立することがないため、不要な通話料が発生することがない。さらに、施錠対象装置開錠システム１０によれば、管理者用の携帯電話２あるいは一般電話３を用いることで、遠隔地からでも登録部４０２に対する電話番号の登録／削除といった登録情報の更新を行なうことができるため、メンテナンスし易いという効果もある。
【００４４】
次に、施錠対象装置開錠システム１０の変形例である施錠対象装置開錠システム１１について説明する。図３は、施錠対象装置開錠システム１１と、携帯電話２と、一般電話３と、公衆回線６と、ドア８との関係を示す図である。施錠対象装置開錠システム１１と施錠対象装置開錠システム１０の相違は、制御装置５０と、電話番号登録情報更新部６０であるため、当該相違点を中心に説明する。
【００４５】
制御装置５０は、登録部５０２と、開錠処理部５０４と、電話番号登録処理部５０６と、電話番号削除処理部５０８と、自動削除処理部５１０とを含んで構成される。登録部５０２は、ドア８の電気錠９の開錠を行うことが許可された人が所有している電話番号を登録するためのメモリであり、例えば、何度も書き換えを行うことが可能なフラッシュＲＯＭ、ＤＲＡＭ、ＳＲＡＭ等を用いて構成することができる。そして、登録部５０２は、複数の領域に区画され、各領域にはアドレスが割当てられている。施錠対象装置開錠システム１０がマンションに設置されている場合には、３バイトのデータを用いてアドレスを選択し、例えば、階番号、部屋番号、家族番号と３バイトのデータ（アドレス）とを対応させることで、それぞれを区別することができる。そして、登録部５０２には、開錠処理部５０４から受け取った情報に基づき、ドア８の電気錠９の開錠制御が行われたときの日付、時刻及び当該開錠制御に使用された電話番号（発信元番号）を含むログ（履歴情報）を保存する。
【００４６】
開錠処理部５０４は、ターミナルアダプタ２０から受け取った発信元番号が登録部５０２に登録された電話番号と一致すると判断すれば、当該一致したと判断したときから所定の期間（例えば、５秒間）、ドア８の電気錠９に対して開錠指令を与え、その後に再び施錠指令を与える。また、このとき開錠処理部５０４は、登録部５０２に対して当該電話番号等の情報を送信する機能を有している。ドア８の電気錠９は、上述した開錠処理部５０４の開錠指令を受け取って開錠され、ドア８を開くことが可能となる。なお、開錠処理部５０４は、ターミナルアダプタ２０から携帯電話２あるいは一般電話３から発信された発信先番号を受け取るのみで、当該携帯電話２あるいは一般電話３との通話を行なうことはない。
【００４７】
電話番号登録処理部５０６は、アドレス選択ボタン６０２によってアドレス選択され、入力ボタン６０６によって入力された電話番号が表示部６０４によって表示された状態で、登録ボタン６０８が押された場合には、当該電話番号を登録部５０２に登録する機能を有する。
【００４８】
電話番号削除処理部５０８は、アドレス選択ボタン６０２によってアドレス選択され、当該アドレスに対応する登録部５０２の領域に既に登録されている電話番号が表示部６０４によって表示された後に、入力ボタン６０６のＣＬＲボタン（クリアボタン）が押された後に、登録ボタン６０８が押された場合に当該アドレスに登録された当該電話番号を登録部５０２から削除する機能を有する。
【００４９】
自動削除処理部５１０は、登録部５０２に保存された履歴情報に基づいて、登録部５０２に登録された電話番号のうち、所定の期間（例えば、１ヶ月間）ドア８の電気錠９を開錠するために使用されていない電話番号があるか否かを判断する機能を有する。自動削除処理部５１０は、所定の期間使用されていない電話番号があると判断した場合には、登録部５０２から当該電話番号を自動的に削除する機能を有する。
【００５０】
電話番号登録情報更新部６０は、アドレス選択ボタン６０２と、表示部６０４と、入力ボタン６０６と、登録ボタン６０８とを含んで構成される。アドレス選択ボタン６０２を用いて、３バイトのデータ（アドレス）を入力することができる。
【００５１】
表示部６０４は、登録部５０２に既に登録されている電話番号、あるいは、入力ボタン６０６によって入力された電話番号を表示するための液晶表示装置である。
【００５２】
入力ボタン６０６は、登録部５０２に登録したい電話番号を入力させるためのボタンであり、数字を入力するための「１」「２」「３」「４」「５」「６」「７」「８」「９」「０」の各ボタンと、電話番号を入力し終えた後に確定させるための「ＥＮＴ」ボタンと、表示部６０４に表示された電話番号をクリアするための「ＣＬＲ」ボタンとを備えている。
【００５３】
登録ボタン６０８は、登録部５０２に対して電話番号を登録／削除の決定を行うためのボタンである。ここで、電話番号登録情報更新部６０によって、電話番号の登録／削除を行う手順について説明する。
【００５４】
まず、登録部５０２に対して新たに電話番号を登録しようとする場合には、登録部５０２に割当てられたアドレスを選択して、登録先の領域を選択する。例えば、３階の２号室の世帯主の人の電話番号を登録したい場合には、左側ボタンを押した後に入力ボタン６０６の「３」ボタン（３Ｆに対応）を押し、真ん中ボタンを押した後に入力ボタン６０６の「２」ボタン（２号室に対応）を押し、右側ボタンを押した後に入力ボタン６０６の「１」ボタン（家族のそれぞれに対して割当てた番号、例えば、父親を「１」、母親「２」に割当てることができる）を押し、最後に入力ボタン６０６の「ＥＮＴ」ボタンを押す。これにより、電話番号の登録先の領域に対応する登録部５０２のアドレスが選択される。その後、登録したい電話番号を入力ボタン６０６の数字ボタンを使用して入力した後に、入力ボタン６０６の「ＥＮＴ」ボタンを押して入力を確定する。このとき、表示部６０４には、入力された電話番号が表示されているため、誤入力がないことを確認した上で登録ボタン６０８を押すことで、電話番号登録処理部５０６の機能によって登録部５０２に当該電話番号が登録される。
【００５５】
また、既に登録部５０２に登録されている電話番号を削除しようとする場合には、例えば、上述した３階の２号室の世帯主の人が転居等に伴い、登録部５０２から既に登録した電話番号を削除する場合には、アドレス選択ボタン６０２と入力ボタン６０６とを用い、左側ボタンを押した後に入力ボタン６０６の「３」ボタンを押し、真ん中ボタンを押した後に入力ボタン６０６の「２」ボタンを押し、右側ボタンを押した後に入力ボタン６０６の「１」ボタンを押し、最後に入力ボタン６０６の「ＥＮＴ」ボタンを押すと、選択されたアドレスに対応する登録部５０２の領域に登録されている電話番号が表示部６０４に表示される。その後、入力ボタン６０６の「ＣＬＲ」ボタンを押すと、表示部６０４に表示される電話番号がクリア（消去）され、その後に登録ボタン６０８を押すことで、電話番号削除処理部５０８の機能によって登録部５０２から当該電話番号が削除される。
【００５６】
上記構成の施錠対象装置開錠システム１１の動作について図３，４を用いて説明する。図４は、施錠対象装置開錠システム１１を用い、携帯電話２あるいは一般電話３によりドア８の電気錠９の開錠を行う等の手順を示すフローチャートである。まず、制御装置５０は、登録部５０２に登録された電話番号のうち、長期間（例えば、１ヶ月間）使用されていないものがあるか否かを判断する（Ｓ１１０）。この工程は、制御装置５０の自動削除処理部５１０の機能によって実行される。Ｓ１１０の工程において、長期間使用されていないものがあると判断すれば、当該電話番号を登録部５０２から自動的に削除し（Ｓ１１２）、その後Ｓ１１４へと進む。この工程は、制御装置５０の自動削除処理部５１０の機能によって実行される。また、Ｓ１１０の工程において、長期間使用されていないものがあると判断しなければ、Ｓ１１４へと進む。
【００５７】
Ｓ１１４の工程では、電話番号登録情報更新部６０によって、登録部５０２に対して新たに電話番号を登録するための操作がなされたか否かを判断する（Ｓ１１４）。この工程は、制御装置５０の電話番号登録処理部５０６の機能によって実行される。Ｓ１１４において、電話番号登録情報更新部６０によって、登録部５０２に対して新たに電話番号を登録するための操作がなされたものと判断すれば、電話番号登録情報更新部６０によって入力された電話番号を登録部５０２に対して新たに登録する（Ｓ１１６）。この工程は、制御装置５０の電話番号登録処理部５０６の機能によって実行される。Ｓ１１４において、電話番号登録情報更新部６０によって、登録部５０２に対して新たに電話番号を登録するための操作がなされてないと判断すれば、Ｓ１１８へと進む。
【００５８】
Ｓ１１８の工程では、電話番号登録情報更新部６０によって、既に登録された電話番号を登録部５０２から削除するための操作がなされたか否かを判断する（Ｓ１１８）。この工程は、制御装置５０の電話番号削除処理部５０８の機能によって実行される。Ｓ１１８において、電話番号登録情報更新部６０によって、既に登録された電話番号を登録部５０２から削除するための操作がなされたと判断すれば、電話番号登録情報更新部６０によって選択表示された電話番号を登録部５０２から削除する（Ｓ１２０）。この工程は、制御装置５０の電話番号削除処理部５０８の機能によって実行される。Ｓ１１８において、電話番号登録情報更新部６０によって、既に登録された電話番号を登録部５０２から削除するための操作がなされていないと判断すれば、Ｓ１２２へと進む。
【００５９】
次に、携帯電話２あるいは一般電話３からの着信（施錠対象装置開錠システム１１への発信）があるか否かを判断する（Ｓ１２２）。この工程は、開錠処理部５０４の機能によって実行される。Ｓ１２２の工程において、携帯電話２あるいは一般電話３からの着信がないと判断したときは、再びＳ１１０へと戻る。
【００６０】
Ｓ１２２の工程において、携帯電話２あるいは一般電話３からの着信（施錠対象装置開錠システム１１への発信）があると判断すれば、ターミナルアダプタ２０から受け取った発信元番号が登録部５０２に登録された電話番号と一致するものがあるか否かを判断する（Ｓ１２４）。この工程は、開錠処理部５０４の機能によって実行される。Ｓ１２４の工程において、ターミナルアダプタ２０から受け取った発信元番号が登録部５０２に登録された電話番号と一致しないと判断されれば、リターン処理へと進む。
【００６１】
Ｓ１２４の工程において、ターミナルアダプタ２０から受け取った発信元番号が登録部５０２に登録された電話番号と一致するものがあると判断すれば、ドア８の電気錠９を所定の期間（例えば、５秒間）開錠するための開錠指令を与え、その後再び施錠指令を与える（Ｓ１２６）。この工程は、開錠処理部５０４の機能によって実行される。その後、リターン処理へと進む。
【００６２】
上記のように、施錠対象装置開錠システム１１によれば、登録部５０２に登録された電話番号の携帯電話２あるいは一般電話３の所有者が電話をかけるだけで、ドア８の電気錠９を開錠することができる。また、このとき、施錠対象装置開錠システム１１は、携帯電話２あるいは一般電話３と通話を確立することがないため、不要な通話料が発生することがない。
【符号の説明】
【００６３】
２  携帯電話、３  一般電話、６  公衆回線、８  ドア、９  電気錠、１０，１１  施錠対象装置開錠システム、２０  ターミナルアダプタ、３０  通信ケーブル、４０，５０  制御装置、６０  電話番号登録情報更新部、４０２  登録部、４０４  開錠処理部、４０６  電話番号登録処理部、４０８  電話番号削除処理部、４１０  自動削除処理部、５０２  登録部、５０４  開錠処理部、５０６  電話番号登録処理部、５０８  電話番号削除処理部、５１０  自動削除処理部、６０２  アドレス選択ボタン、６０４  表示部、６０６  入力ボタン、６０８  登録ボタン。
【図１】
2011220070.tif 000003
【図２】
2011220070.tif 000004
【図３】
2011220070.tif 000005
【図４】
2011220070.tif 000006